(57)【要約】【課題】この発明は詰め物のへたり度合いを客観的に判断することができるマットレス装置を提供することにある。【解決手段】スプリングユニット１と、スプリングユニットの上下面のうちの少なくとも上面に設けられたシート状の第１の詰め物６と、スプリングユニットと第１の詰め物とを被覆した外装体７と、詰め物及び外装体を貫通して設けられ一端がスプリングユニットに固定され外装体から突出した他端には外装体の外面に接触する接触部材１６が連結されていて、第１の詰め物にへたりがないときにはたるみのない状態に張られる紐状部材１５とを具備する。【選択図】図１
2007289266.tif 000002
【特許請求の範囲】
【請求項１】
スプリングユニットと、
このスプリングユニットの上下面のうちの少なくとも上面に設けられたシート状の第１の詰め物と、
上記スプリングユニットと上記第１の詰め物とを被覆した外装体と、
上記詰め物及び上記外装体を貫通して設けられ一端が上記スプリングユニットに固定され上記外装体から突出した他端には上記外装体の外面に接触する接触部材が連結されていて、上記第１の詰め物にへたりがないときにはたるみのない状態に張られる紐状部材と
を具備したことを特徴とするマットレス装置。
【請求項２】
上記外装体の上記詰め物を被覆した鏡部は、表地と裏地との間に第２の詰め物が設けられた構成であって、上記紐状部材は上記第１の詰め物と第２の詰め物とにへたりがないときにたるみのない状態に張られていることを特徴とする請求項１記載のマットレス装置。
【請求項３】
上記外装体は、上記スプリングユニットの上下面に設けられる一対の鏡部と、上下端を上記鏡部の周縁部に着脱可能に連結して設けられたまち部とによって構成されていることを特徴とする請求項１記載のマットレス装置。
【請求項４】
上記紐状体には、上記詰め物にへたりが生じて上記紐状体にたるみが生じたときに、そのたるみ量を判別する識別部が設けられていることを特徴とする請求項１記載のマットレス装置。
【発明の詳細な説明】
【技術分野】
【０００１】
この発明はスプリングユニットを外装体で被覆して構成されるマットレス装置に関する。
【背景技術】
【０００２】
一般に、マットレス装置はスプリングユニットを有する。このスプリングユニットはばね体としてたとえば多数のコイルスプリングを行列状に配置し、隣り合うコイルスプリングの上端面と下端面とを図示しないヘリカル線によって連結するとともに、上下面の周縁部に枠線をクリップによって取着して形成されている。
【０００３】
上記スプリングユニットの上下面にはそれぞれウレタンフォームや綿などを所定の厚さのシート状に形成した詰め物が積層され、この詰め物とスプリングユニットの積層体は外装体によって被覆される。このような構成のマットレス装置は特許文献１に示されている。
【特許文献１】特開２０００−２２５１４３号公報
【発明の開示】
【発明が解決しようとする課題】
【０００４】
上記構成のマットレス装置を長期間にわたって使用すると、スプリングユニット上に設けられた詰め物が繰り返して圧縮荷重を受けることになる。その結果、上記詰め物にへたりが生じるから、その詰め物が本来有した詰め物としてのクッション性能や保温性などの性能が大幅に低下することになる。
【０００５】
しかしながら、従来は上記詰め物にへたりが生じたかどうかの判断は利用者が主観的に行うだけであり、客観的に判断するということができなかった。そのため、詰め物の性能が損なわれたマットレス装置を使用し続けることがあるため、上記詰め物のへたり度合いを客観的に判断できるようにすることが望まれていた。
【０００６】
この発明は、詰め物のへたり度合いを客観的に判断することができるようにしたマットレス装置を提供することにある。
【課題を解決するための手段】
【０００７】
この発明は、スプリングユニットと、
このスプリングユニットの上下面のうちの少なくとも上面に設けられたシート状の第１の詰め物と、
上記スプリングユニットと上記第１の詰め物とを被覆した外装体と、
上記詰め物及び上記外装体を貫通して設けられ一端が上記スプリングユニットに固定され上記外装体から突出した他端には上記外装体の外面に接触する接触部材が連結されていて、上記第１の詰め物にへたりがないときにはたるみのない状態に張られる紐状部材と
を具備したことを特徴とするマットレス装置にある。
【０００８】
上記外装体の上記詰め物を被覆した鏡部は、表地と裏地との間に第２の詰め物が設けられた構成であって、上記紐状部材は上記第１の詰め物と第２の詰め物とにへたりがないときにたるみのない状態に張られていることが好ましい。
【０００９】
上記外装体は、上記スプリングユニットの上下面に設けられる一対の鏡部と、上下端を上記鏡部の周縁部に着脱可能に連結して設けられたまち部とによって構成されていることが好ましい。
【００１０】
上記紐状体には、上記詰め物にへたりが生じて上記紐状体にたるみが生じたときに、そのたるみ量を判別する識別部が設けられていることが好ましい。
【発明の効果】
【００１１】
この発明によれば、スプリングユニット上に設けられた第１の詰め物がへたると、そのへたりに応じて紐状部材にたるみが生じるから、そのたるみ量によって詰め物のへたり度合いを判定することが可能となる。
【発明を実施するための最良の形態】
【００１２】
以下、この発明の一実施の形態を図１乃至図４を参照して説明する。  
図１乃至図３に示すこの発明のマットレス装置はスプリングユニット１を有する。このスプリングユニット１は多数のコイルスプリング２を行列状に配置し、隣り合うコイルスプリング２の上下端面をそれぞれヘリカル線３によって連結して平面形状が矩形状になるよう形成されている。
【００１３】
上記スプリングユニット１の上下面の周縁部にはそれぞれ枠線４が図示しないクリップによって連結されている。さらに、スプリングユニット１の上下面にはフェルトなどの保護布５を介してウレタンフォームや綿などの第１の詰め物６が積層されている。
【００１４】
上記スプリングユニット１と第１の詰め物６との積層体は外装体７によって被覆されている。この外装体７は、スプリングユニット１の上下面に設けられる一対の鏡部８と、上記スプリングユニット１の外周面に設けられるまち部９を有する。
【００１５】
上記まち部９の上下端には上記一対の鏡部８の周縁がテープエッジ１１によって縫合されている。一対の鏡部８の内面に周辺部にはフランジ布１２の一端が縫合されている。フランジ布１２の他端は上記スプリングユニット１の周辺部に位置するコイルスプリング２にクリップ１３によって連結されている。それによって、上記第１の詰め物６及び外装体７が上記スプリングユニット１に保持されている。
【００１６】
上記鏡部８は表地８ａと裏地８ｂとの間にシート状のウレタンフォームや綿などの第２の詰め物８ｃを設け、これら三者を一体的にキルティングして形成されている。
【００１７】
上記まち部９も、上記鏡部８と同様、表地９ａと裏地９ｂとの間にシート状のウレタンフォームや綿などの詰め物９ｃを設け、これら三者を一体的にキルティングして形成されている。
【００１８】
上記スプリングユニット１の一方の面には樹脂製繊維などからなる紐状部材１５の一端が連結固定されている。この紐状部材１５は上記第１の詰め物６及び上記鏡部８のキルティングの部分から外れた部分、つまり第２の詰め物８ｂの部分を貫通している。そして、鏡部８の外面に突出した他端には円盤状の接触部材１６が連結固定されている。
【００１９】
上記紐状部材１５の長さ寸法は、第１の詰め物６と第２の詰め物８ｂとが新しい状態、つまり圧縮荷重を繰り返して受ける前のへたりがない状態において、図１に示すようにたるみのない長さに設定されている。さらに、紐状部材１５は、図４に示すようにその長さの上側の約４０％が下半分と識別可能となるよう色分けられた識別部１７に形成されている。
【００２０】
このような構成のマットレス装置によれば、図１に示すようにスプリングユニット１上に設けられた第１の詰め物６と第２の詰め物８ｂとにへたりがない場合、紐状部材１５はこの紐状部材１５に連結された接触部材１６が鏡部８の外面に接触していることで、たるみのない状態に張っている。そのため、接触部材１６を摘んで持ち上げても、この接触部材１６が鏡部８の外面から浮き上がることがない。つまり、接触部材１６を掴み上げたときに、この接触部材１６が鏡部８の外面から浮き上がらなければ、第１、第２の詰め物６，８ｂにへたりが生じていないことになる。
【００２１】
マットレス装置を長期間にわたって使用することで、第１、第２の詰め物６，８ｂにへたりが生じると、図２に示すように上記詰め物６、８ｂのへたり度合に応じて紐状部材１５にたるみが生じる。紐状部材１５にたるみが生じたときに、図３に示すように接触部材１６を摘み上げると、この接触部材１６が上記紐状部材１５のたるみに応じた分だけ鏡部８の上面から浮き上がる。それによって、利用者は詰め物６、８ｂにへたりが生じたことを客観的に判断することができる。
【００２２】
上記紐状部材１５の長さの約４０％は他の部分と色分けされた識別部１７に形成されている。そのため、接触部材１６を摘み上げてたるんだ紐状部材１５を引き伸ばしたときに、識別部１７が鏡部８の上面からどの程度露出しているかによって、詰め物６、８ｂのへたり度合を判定することができる。
【００２３】
接触部材１６を摘み上げたときに、たとえば鏡部８の上面から紐状部材１５の識別部１７のほぼ全体が露出すれば、詰め物６、８ｂのへたり度合が最初の厚さに対して約４０％であると判定することができる。
【００２４】
つまり、紐状部材１５に識別部１７を設けたから、接触部材１６を摘み上げてたるんだ紐状部材１５を伸ばしたときの上記識別部１７が鏡部８の外面から露出する度合によって詰め物６、８ｂのへたり度合を判定することができる。
【００２５】
図５はこの発明の他の実施の形態を示す。この実施の形態は外装体７の鏡部８とまち部９をテープエッジ１１によって縫合せず、連結手段としてのファスナ２１によって着脱可能に連結した。なお、連結手段としてはファスナに代わり、ホックなどであってもよい。
【００２６】
鏡部８を着脱可能な構成とすれば、詰め物６、８ｂに所定以上のへたりが生じたとき、鏡部８を取り外して第１の詰め物６を交換したり、第２の詰め物８ｂが設けられた鏡部８交換することができる。
【００２７】
なお、上述した各実施の形態では鏡部に第２の詰め物が設けられた構成を例に挙げて説明したが、鏡部に第２の詰め物がなく、第１の詰め物だけが設けられる場合であっても、接触部材が連結された紐状部材を設けることで、第１の詰め物のへたり度合を判定することができる。
【００２８】
また、マットレス装置としては第１の詰め物や鏡部がスプリングユニットの少なくとも上面に設けられる構成であればよい。さらに、紐状部材及び接触部材はマットレス装置の上下面及び各面にそれぞれ複数設けるようにしてもよく、その数や位置はなんら限定されるものでない。
【図面の簡単な説明】
【００２９】
【図１】この発明の一実施の形態のマットレス装置の第1、第２の詰め物がへたりを生じていない状態を示す一部分の拡大断面図。
【図２】第1、第２の詰め物にへたりが生じて紐状部材にたるみが生じた状態を示すマットレス装置の一部分の拡大断面図。
【図３】第1、第２の詰め物にへたりが生じたときにたるんだ紐状部材を引き伸ばした状態を示すマットレス装置の一部分の拡大断面図。
【図４】接触部材が連結された紐状部材を示す斜視図。
【図５】この発明の他の実施の形態を示すマットレス装置の一部分を示す断面図。
【符号の説明】
【００３０】
１…スプリングユニット、２…コイルスプリング、５…第1の詰め物、７…外装体、鏡部、８ｂ…第２の詰め物、９…まち部、１５…紐状部材、１６…接触部材。
【図１】
2007289266.tif 000003
【図２】
2007289266.tif 000004
【図３】
2007289266.tif 000005
【図４】
2007289266.tif 000006
【図５】
2007289266.tif 000007